(57)【要約】【課題】ユーザの操作性を向上させた携帯端末装置、画像制御方法及び画像制御プログラムを提供する。【解決手段】タッチセンサ１０２−１及び１０２−２は、ユーザによる接触を検出する。制御部１１０は、タッチセンサ１０２−１及び１０２−２による接触の検出結果に基づいて、ユーザが筐体を右手で保持しているか、左手で保持しているかを判定する。更に、制御部１１０は、右手により保持されている場合には、右手での操作がしやすい右手操作用入力指示画像をタッチパネル式ディスプレイ１０３に表示させ、左手により保持されていると判定した場合には、左手での操作がしやすい左手操作用入力指示画像をタッチパネル式ディスプレイ１０３に表示させる。【選択図】図３
2013069165.tif 000002
【特許請求の範囲】
【請求項１】
入力指示のための画像を表示する表示手段と、
物体の接触を検出する検出手段と、
前記検出手段による接触の検出結果に基づいて、前記入力指示のための画像の表示を制御する制御手段と、
を備えることを特徴とする携帯端末装置。
【請求項２】
前記制御手段は、前記検出手段による接触の検出結果に基づいて、ユーザが右手及び左手の何れにより筐体を保持しているかを判定し、右手により保持されていると判定した場合と、左手により保持されていると判定した場合とにおいて、前記表示手段に表示される前記入力指示のための画像を異ならせることを特徴とする請求項１に記載の携帯端末装置。
【請求項３】
前記制御手段は、前記右手により保持されていると判定した場合に、右手による操作に適したものとして定められた入力指示のための画像を表示する制御を行い、前記左手により保持されていると判定した場合に、左手による操作に適したものとして定められた入力指示のための画像を表示する制御を行うことを特徴とする請求項２に記載の携帯端末装置。
【請求項４】
前記検出手段は、第１の検出手段と第２の検出手段とを備え、
前記第１の検出手段は、前記筐体における第１の側面に配置され、
前記第２の検出手段は、前記筐体における前記第１の側面と対向する第２の側面に配置されることを特徴とする請求項２又は３に記載の携帯端末装置。
【請求項５】
前記制御手段は、前記第１の検出手段により複数箇所の接触が検出されたこと、及び、前記第２の検出手段により１箇所の接触が検出されたことの少なくとも何れかを満たす場合に、前記ユーザが一方の手により前記筐体を保持していると判定し、前記第１の検出手段により１箇所の接触が検出されたこと、及び、前記第２の検出手段により複数箇所の接触が検出されたことの少なくとも何れかを満たす場合に、前記ユーザが他方の手により前記筐体を保持していると判定することを特徴とする請求項４に記載の携帯端末装置。
【請求項６】
前記検出手段は、静電容量に基づいて、接触を検出することを特徴とする請求項１乃至５の何れか１項に記載の携帯端末装置。
【請求項７】
前記検出手段は、ユーザの筋肉の動きにより発せされる電気信号に基づいて、接触を検出することを特徴とする請求項１乃至５の何れか１項に記載の携帯端末装置。
【請求項８】
前記検出手段は、複数の押下式のスイッチを備え、前記スイッチの押下の状態に基づいて、接触を検出することを特徴とする請求項１乃至５の何れか１項に記載の携帯端末装置。
【請求項９】
携帯端末装置において表示される画像を制御する画像制御方法であって、
前記携帯端末装置が、物体の接触を検出するステップと、
前記携帯端末装置が、接触の検出結果に基づいて、入力指示のための画像の表示を制御するステップと、
を備えることを特徴とする画像制御方法。
【請求項１０】
コンピュータを、
入力指示のための画像を表示する表示手段、
物体の接触を検出する検出手段、
前記検出手段による接触の検出結果に基づいて、前記入力指示のための画像の表示を制御する制御手段、
として機能させることを特徴とする画像制御プログラム。
【発明の詳細な説明】
【技術分野】
【０００１】
本発明は、携帯端末装置、画像制御方法及び画像制御プログラムに関する。
【背景技術】
【０００２】
今日の携帯端末装置は、ユーザの使い勝手を向上させるために、様々な手法が提案されている。例えば、特許文献１に記載の技術では、ユーザによる携帯端末装置の保持の態様に応じて、アプリケーションプログラムを選択して実行する。
【０００３】
ところで、いわゆるスマートフォンの需要の増加に伴い、携帯端末装置のディスプレイが大型化し、更には、タッチパネル式のディスプレイが採用されるようになっている。タッチパネル式のディスプレイは、キーやボタン等のソフトキーの画像が配置された入力指示のための画像を表示する。ユーザは、入力指示のための画像が表示された部分に指を接触させることで、携帯端末装置に所望の動作を行わせることができる。タッチパネル式のディスプレイが操作部として用いられることにより、物理的なボタン等の構成に伴う操作の制約がなくなり、ソフトウェアによる多様な操作が可能となる。
【先行技術文献】
【特許文献】
【０００４】
【特許文献１】特開２００４−３０２７３４号公報
【発明の概要】
【発明が解決しようとする課題】
【０００５】
しかしながら、従来の携帯端末装置は、ユーザが片手で携帯端末装置を保持しつつ、当該片手でタッチパネル式のディスプレイに接触しようとする場合、接触する手が右手であるか、左手であるかについて何ら考慮されていない。このため、保持する手が右手か左手かによって、ソフトキーが接触しづらい位置に配置されることがある。
【０００６】
本発明は、このような問題に鑑みてなされたものであり、ユーザの操作性を向上させた携帯端末装置、画像制御方法及び画像制御プログラムを提供することを目的とする。
【課題を解決するための手段】
【０００７】
上記目的を達成するために、本発明の第１の観点に係る携帯端末装置は、
入力指示のための画像を表示する表示手段と、
物体の接触を検出する検出手段と、
前記検出手段による接触の検出結果に基づいて、前記入力指示のための画像の表示を制御する制御手段と、
を備えることを特徴とする。
【０００８】
上記目的を達成するために、本発明の第２の観点に係る画像制御方法は、
携帯端末装置において表示される画像を制御する画像制御方法であって、
前記携帯端末装置が、物体の接触を検出するステップと、
前記携帯端末装置が、接触の検出結果に基づいて、入力指示のための画像の表示を制御するステップと、
を備えることを特徴とする。
【０００９】
上記目的を達成するために、本発明の第３の観点に係る画像制御プログラムは、
コンピュータを、
入力指示のための画像を表示する表示手段、
物体の接触を検出する検出手段、
前記検出手段による接触の検出結果に基づいて、前記入力指示のための画像の表示を制御する制御手段、
として機能させることを特徴とする。
【発明の効果】
【００１０】
本発明によれば、ユーザの操作性を向上させることができる。
【図面の簡単な説明】
【００１１】
【図１】本発明の一実施形態に係る携帯端末装置の外観斜視図である。
【図２】本発明の一実施形態に係る携帯端末装置の構成を示す図である。
【図３】本発明の一実施形態に係る携帯端末装置の詳細な構成を示す図である。
【図４】本発明の実施形態に係る携帯端末装置の動作を示すフローチャートである。
【図５】本発明の一実施形態に係る接触の検出を説明するための第１の図である。
【図６】本発明の一実施形態に係る接触の検出を説明するための第２の図である。
【図７】本発明の一実施形態に係る接触状態情報の一例を示す図である。
【図８】本実施形態に係るユーザが筐体を保持する手と入力指示画像との対応の一例を示す図である。
【図９】本発明の他の実施形態に係る携帯端末装置の詳細な構成を示す図である。
【図１０】本発明の他の実施形態に係る携帯端末装置の詳細な構成を示す図である。
【発明を実施するための形態】
【００１２】
以下、図面を参照して、本発明の一実施形態に係る携帯端末装置、画像制御方法及び画像制御プログラムを説明する。
【００１３】
（１）携帯端末装置の構成
図１は、本発明の一実施形態に係る携帯端末装置の外観斜視図である。図１に示す携帯端末装置１００は、例えば、携帯電話機や携帯情報端末である。携帯端末装置１００は、筐体１０１、検出手段としてのタッチセンサ１０２−１、検出手段としてのタッチセンサ１０２−２、表示手段としてのタッチパネル式ディスプレイ１０３を備える。
【００１４】
タッチパネル式ディスプレイ１０３は、筐体１０１の主面に配置される。タッチパネル式ディスプレイ１０３は、キーやボタン等のソフトキーの画像である入力指示のための画像（入力指示画像）等の様々な画像を表示する。
【００１５】
タッチセンサ１０２−１は、筐体１０１の側面１０５−１に配置される。側面１０５−１は、筐体１０１の主面方向からみて左側の側面である。タッチセンサ１０２−２は、筐体の側面１０５−２に配置される。側面１０５−２は、筐体１０１の主面方向からみて右側の側面である。側面１０５−１と側面１０５−２は、対向している。従って、タッチセンサ１０２−１とタッチセンサ１０２−２は、対向して配置される。タッチセンサ１０２−１及びタッチセンサ１０２−２は、ユーザの指等の接触を検出する。
【００１６】
図２は、本発明の一実施形態に係る携帯端末装置の構成を示す図である。図２に示すように、携帯端末装置１００は、制御手段としての制御部１１０、検出手段としてのタッチセンサ１０２−１、検出手段としてのタッチセンサ１０２−２、表示手段としてのタッチパネル式ディスプレイ１０３を備える。
【００１７】
図３は、本発明の一実施形態に係る携帯端末装置の詳細な構成を示す図である。図３に示す携帯端末装置１００は、図２に示す携帯端末装置１００に、駆動バッファ１１１−１乃至１１１−５（以下、これら駆動バッファ１１１−１乃至１１１−５をまとめて、適宜「駆動バッファ１１１」と称する）、駆動バッファ１１２−１乃至１１２−５（以下、これら駆動バッファ１１２−１乃至１１２−５をまとめて、適宜「駆動バッファ１１２」と称する）、メモリ１１８を追加した構成である。
【００１８】
制御部１１０は、ＣＰＵ（Central Processing Unit）等により構成される。制御部１１０は、メモリ１１８に記憶されたプログラムに従ってソフトウェア処理を実行することにより、携帯端末装置１００が具備する各種機能を制御する。例えば、制御部１１０は、ユーザの指等の接触に応じて、タッチパネル式ディスプレイ１０３に入力指示画像を表示するための制御プログラムに従ってソフトウェア処理を実行する。メモリ１１８は、例えばＲＡＭ（Random Access Memory）やＲＯＭ（Read Only Memory）である。メモリ１１８は、制御部１１０における制御等に用いられる各種情報（プログラム等）を記憶する。
【００１９】
タッチセンサ１０２−１及びタッチセンサ１０２−２は、それぞれ静電容量型のタッチセンサである。タッチセンサ１０２−１は、内部に、駆動電極１１３−１乃至１１３−５（以下、これら駆動電極１１３−１乃至１１３−５をまとめて、適宜「駆動電極１１３」と称する）と、受信電極１１５−１乃至１１５−５（以下、これら受信電極１１５−１乃至１１５−５をまとめて、適宜「受信電極１１５」と称する）とを備える。駆動電極１１３と受信電極１１５とは、交互に一対となって、側面１０５−１の長手方向に沿って配置されている。駆動電極１１３は、それぞれ対応する駆動バッファ１１１を介して、制御部１１０に接続される。受信電極１１５は、制御部１１０に接続される。タッチセンサ１０２−１は、駆動電極１１３と受信電極１１５との間の静電容量の変化を検出する。
【００２０】
同様に、タッチセンサ１０２−２は、内部に、駆動電極１１４−１乃至１１４−５（以下、これら駆動電極１１４−１乃至１１４−５をまとめて、適宜「駆動電極１１４」と称する）と、受信電極１１６−１乃至１１６−５（以下、これら受信電極１１６−１乃至１１６−５をまとめて、適宜「受信電極１１６」と称する）とを備える。駆動電極１１４と受信電極１１６とは、交互に一対となって、側面１０５−２の長手方向に沿って配置されている。駆動電極１１６は、それぞれ対応する駆動バッファ１１２を介して、制御部１１０に接続される。受信電極１１６は、制御部１１０に接続される。タッチセンサ１０２−２は、駆動電極１１４と受信電極１１６との間の静電容量の変化を検出する。
【００２１】
（２）携帯端末装置の動作
図４に示すように、携帯端末装置１００内の制御部１１０は、タッチセンサ１０２−１及び１０２−２の少なくとも何れかがユーザの指４００の接触を検出したか否かを判定する（ステップＳ１０１）。
【００２２】
具体的には、制御部１１０は、駆動バッファ１１１及び駆動バッファ１１２に対して、所定のパルス信号である、駆動パルス信号の送出を指示する。駆動バッファ１１１は、制御部１１０の指示に応じて、接続している駆動電極１１３を介して、駆動パルス信号を送出する。駆動バッファ１１２は、制御部１１０の指示に応じて、接続している駆動電極１１４を介して、駆動パルス信号を送出する。
【００２３】
受信電極１１５は、駆動バッファ１１１によって送出される駆動パルス信号を受信する。更に、受信電極１１５は、受信した駆動パルス信号を制御部１１０へ出力する。受信電極１１６は、駆動バッファ１１４によって送出される駆動パルス信号を受信する。更に、受信電極１１６は、受信した駆動パルス信号を制御部１１０へ出力する。
【００２４】
ユーザの指４００がタッチセンサ１０２−１に接触していない状態では、駆動電極１１３が駆動パルス信号を送出すると、タッチセンサ１０２−１の近傍には、図５の点線に示す電界３００が形成される。一方、ユーザの指４００がタッチセンサ１０２−１における一対の駆動電極１１３と受信電極１１５とが設置された領域に接触している状態では、駆動電極１１３が駆動パルス信号を送出すると、タッチセンサ１０２−１の近傍には、図６の点線に示す電界３００が形成される。
【００２５】
制御部１１０は、受信電極１１５からの駆動パルス信号の強度、換言すれば、駆動電極１１３と受信電極１１５との間の静電容量に基づいて、タッチセンサ１０２−１に対してユーザの指４００が接触したか否かを判定する。この際、制御部１１０は、受信電極１１５のそれぞれからの駆動パルス信号の強度が、予め定められた閾値以上であるか否かを判定する。駆動パルス信号の強度が閾値未満である場合、制御部１１０は、当該駆動パルス信号の送信元の受信電極１１５と、当該受信電極１１５と対をなす駆動電極１１３とが設置された領域（設置領域）に、ユーザの指４００が接触していると判定する。一方、駆動パルス信号の強度が閾値以上である場合、制御部１１０は、当該駆動パルス信号の送信元の受信電極１１５を含む設置領域に、ユーザの指４００が接触していないと判定する。次に、制御部１１０は、受信電極１１５毎に、当該受信電極１１５を含む設置領域にユーザの指４００が接触している場合には「１」を設定し、接触していない場合には「０」を設定する。更に、制御部１１０は、受信電極１１５の配列順に、当該受信電極１１５に設定した「０」及び「１」を配列した第１接触状態情報を生成する。同様に、制御部１１０は、受信電極１１６の配列順に、当該受信電極１１６に設定した「０」及び「１」を配列した第１接触状態情報を生成する。第１接触状態情報は、例えば、図７（Ａ）及び図７（Ｂ）に示すような情報である。
【００２６】
同様に、制御部１１０は、受信電極１１６からの駆動パルス信号の強度、換言すれば、駆動電極１１４と受信電極１１６との間の静電容量に基づいて、タッチセンサ１０２−２に対してユーザの指４００が接触したか否かを判定する。この際、制御部１１０は、受信電極１１６のそれぞれからの駆動パルス信号の強度が、予め定められた閾値以上であるか否かを判定する。駆動パルス信号の強度が閾値未満である場合、制御部１１０は、当該駆動パルス信号の送信元の受信電極１１６と、当該受信電極１１６と対をなす駆動電極１１４とが設置された領域（設置領域）に、ユーザの指４００が接触していると判定する。一方、駆動パルス信号の強度が閾値以上である場合、制御部１１０は、当該駆動パルス信号の送信元の受信電極１１６を含む設置領域に、ユーザの指４００が接触していないと判定する。次に、制御部１１０は、受信電極１１６毎に、当該受信電極１１６を含む設置領域にユーザの指等が接触している場合には「１」を設定し、接触していない場合には「０」を設定する。更に、制御部１１０は、受信電極１１６の配列順に、当該受信電極１１６に設定した「０」及び「１」を配列した第２接触状態情報を生成する。第２接触状態情報は、例えば、図７（Ｃ）及び図７（Ｄ）に示すような情報である。
【００２７】
タッチセンサ１０２−１及び１０２−２の少なくとも何れかがユーザの指４００の接触を検出しなかった場合（ステップＳ１０１：ＮＯ）、制御部１１０は、タッチセンサ１０２−１及び１０２−２の少なくとも何れかがユーザの指４００の接触を検出したか否かの判定を繰り返す（ステップＳ１０１）。一方、タッチセンサ１０２−１及び１０２−２の少なくとも何れかがユーザの指４００の接触を検出した場合（ステップＳ１０１：ＹＥＳ）、制御部１１０は、接触の検出結果に基づいて、ユーザが筐体１０１を右手で保持したか否かを判定する（ステップＳ１０２）。
【００２８】
タッチセンサ１０２−１は、筐体１０１の主面、換言すれば、筐体１０１におけるタッチパネル式ディスプレイ１０３が設置された面から見て、左側の側面１０５−１に配置され、タッチセンサ１０２−２は、筐体１０１の主面から見て、右側の側面１０５−２に配置されている。この場合、ユーザがタッチパネル式ディスプレイ１０３を正面にして筐体１０１を右手で保持していれば、ユーザの右手の親指以外の複数の指がタッチセンサ１０２−１に接触し、ユーザの右手の親指又は親指の腹がタッチセンサ１０２−２に接触する。
【００２９】
制御部１１０は、このような接触状態を第１接触状態情報及び第２接触状態情報に基づいて判定する。具体的には、制御部１１０は、第１接触状態情報及び第２接触状態情報における「０」及び「１」の配列を検証する。第１接触状態情報の検証の結果、図７（Ａ）に示すように、「１」と「１」との間に「０」が配列されている場合には、制御部１１０は、タッチセンサ１０２−１における接触箇所が複数である、換言すれば、ユーザの複数の指がタッチセンサ１０２−１に接触していると判定する。更に、第２接触状態情報の検証の結果、「１」が１つのみの場合、あるいは、図７（Ｄ）に示すように、全ての「１」が連続して配置されている場合には、制御部１１０は、タッチセンサ１０２−２における接触箇所が１つである、換言すれば、ユーザの親指又は親指の腹がタッチセンサ１０２−２に接触していると判定する。ユーザの複数の指がタッチセンサ１０２−１に接触し、ユーザの親指又は親指の腹がタッチセンサ１０２−２に接触している場合には、制御部１１０は、ユーザが筐体１０１を右手で保持したと判定し、それ以外の場合には、ユーザが筐体１０１を右手で保持していないと判定する。
【００３０】
ユーザが筐体１０１を右手で保持した場合（ステップＳ１０２：ＹＥＳ）には、制御部１１０は、ソフトキーの画像の配置が右手による操作に適したものであるとして定められた入力指示画像（右手操作用入力指示画像）を表示する制御を行う（ステップＳ１０３）。
【００３１】
具体的には、制御部１１０は、右手操作用入力指示画像のデータを生成してタッチパネル式ディスプレイ１０３に出力する。タッチパネル式ディスプレイ１０３は、入力された右手操作用入力指示画像のデータに応じて、右手操作用入力指示画像を表示する。例えば、右手操作用入力指示画像は、図８（Ａ）に示すように、タッチパネル式ディスプレイ１０３の中央より右寄りに表示され、ユーザによって操作される頻度が高いものとして定められ、右手の親指での接触が容易なソフトキーの画像３１７と、タッチパネル式ディスプレイ１０３の中央より左寄りに表示され、右手の他の指での接触が容易なソフトキーの画像３１８とにより構成される。
【００３２】
一方、ユーザが筐体１０１を右手で保持していない場合（ステップＳ１０２：ＮＯ）には、制御部１１０は、接触の検出結果に基づいて、ユーザが筐体１０１を左手で保持したか否かを判定する（ステップＳ１０４）。
【００３３】
ユーザがタッチパネル式ディスプレイ１０３を正面にして筐体１０１を左手で保持していれば、ユーザの左手の親指以外の複数の指がタッチセンサ１０２−２に接触し、ユーザの左手の親指又は親指の腹がタッチセンサ１０２−１に接触する。
【００３４】
制御部１１０は、このような接触状態を第１接触状態情報及び第２接触状態情報に基づいて判定する。具体的には、制御部１１０は、第１接触状態情報及び第２接触状態情報における「０」及び「１」の配列を検証する。第１接触状態情報の検証の結果、「１」が１つのみの場合、あるいは、図７（Ｂ）に示すように、全ての「１」が連続して配置されている場合には、制御部１１０は、ユーザの親指又は親指の腹がタッチセンサ１０２−１に接触していると判定する。更に、第２接触状態情報の検証の結果、図７（Ｃ）に示すように、「１」と「１」との間に「０」が配列されている場合には、制御部１１０は、ユーザの複数の指がタッチセンサ１０２−２に接触していると判定する。ユーザの親指又は親指の腹がタッチセンサ１０２−１に接触し、ユーザの複数の指がタッチセンサ１０２−２に接触している場合には、制御部１１０は、ユーザが筐体１０１を左手で保持したと判定し、それ以外の場合には、ユーザが筐体１０１を左手で保持していないと判定する。
【００３５】
ユーザが筐体１０１を左手で保持した場合（ステップＳ１０４：ＹＥＳ）には、制御部１１０は、ソフトキーの画像の配置が左手による操作に適したものであるとして定められた入力指示画像（左手操作用入力指示画像）を表示する制御を行う（ステップＳ１０５）。
【００３６】
具体的には、制御部１１０は、左手操作用入力指示画像のデータを生成してタッチパネル式ディスプレイ１０３に出力する。タッチパネル式ディスプレイ１０３は、入力された左手操作用入力指示画像のデータに応じて、左手操作用入力指示画像を表示する。例えば、左手操作用入力指示画像は、図８（Ｂ）に示すように、タッチパネル式ディスプレイ１０３の中央より左寄りに表示され、ユーザによって操作される頻度が高いものとして定められ、左手の親指での接触が容易なソフトキーの画像３１７と、タッチパネル式ディスプレイ１０３の中央より右寄りに表示され、左手の他の指での接触が容易なソフトキーの画像３１８とにより構成される。
【００３７】
一方、ユーザが筐体１０１を左手で保持していない場合（ステップＳ１０４：ＮＯ）、換言すれば、ユーザが右手で保持したか、左手で保持したか判別できない場合には、制御部１１０は、タッチパネル式ディスプレイ１０３に、標準の入力指示画像を表示させる制御を行う（ステップＳ１０６）。具体的には、制御部１１０は、標準入力指示画像のデータを生成してタッチパネル式ディスプレイ１０３に出力する。タッチパネル式ディスプレイ１０３は、入力された標準入力指示画像のデータに応じて、標準入力指示画像を表示する。ここで、標準入力指示画像は、右手操作用入力指示画像及び左手操作用入力指示画像とは別の画像でもよく、右手操作用入力指示画像及び左手操作用入力指示画像の何れかでもよい。
【００３８】
（３）作用効果
上述したように、本発明の一実施形態に係る携帯端末装置１００において、タッチセンサ１０２−１及び１０２−２は、ユーザによる接触を検出する。制御部１１０は、タッチセンサ１０２−１及び１０２−２による接触の検出結果に基づいて、ユーザが筐体１０１を右手で保持しているか、左手で保持しているかを判定する。更に、制御部１１０は、右手により保持されている場合には、右手での操作がしやすい右手操作用入力指示画像をタッチパネル式ディスプレイ１０３に表示させ、左手により保持されていると判定した場合には、左手での操作がしやすい左手操作用入力指示画像をタッチパネル式ディスプレイ１０３に表示させる。
【００３９】
このため、ユーザは、筐体１０１を右手で保持する場合にも、左手で保持する場合にも、入力指示画像であるソフトキー画像の表示位置に接触する動作をしやすくなり、操作性が向上する。また、タッチパネル式ディスプレイ１０３における、右手操作用入力指示画像の表示位置と、左手操作用入力指示画像の表示位置とが異なる。このため、選択される頻度の多いソフトキーが存在する場合であっても、タッチパネル式ディスプレイ１０３の特定の箇所に接触位置が集中し、当該箇所の劣化が他の箇所よりも進行してしまうことが抑制される。
【００４０】
（４）他の実施形態
上述した実施形態では、制御部１１０は、タッチセンサ１０２−１に対する接触状態を示す第１接触状態情報と、タッチセンサ１０２−２に対する接触状態を示す第２接触状態情報との双方に基づいて、ユーザが右手で接触しているか、左手で接触しているかを判定した。しかし、より簡易な判定手法として、制御部１１０は、第１接触状態情報と第２接触状態情報との何れか一方に基づいて、ユーザが右手で保持しているか、左手で保持しているかを判定してもよい。
【００４１】
第１接触状態情報のみに基づく判定の場合、制御部１１０は、第１接触状態情報が図７（Ａ）に示すように、「１」と「１」との間に「０」が配列されている構成である場合には、ユーザが筐体１０１を右手で保持したと判定し、第１接触状態情報が、「１」が１つのみの場合、あるいは、図７（Ｂ）に示すように、全ての「１」が連続して配置されている場合には、ユーザが筐体１０１を左手で保持したと判定する。
【００４２】
また、第２接触状態情報のみに基づく判定の場合、制御部１１０は、第２接触状態情報が図７（Ｃ）に示すように、「１」と「１」との間に「０」が配列されている構成である場合には、ユーザが筐体１０１を左手で保持したと判定し、第２接触状態情報が、「１」が１つのみの場合、あるいは、図７（Ｄ）に示すように、全ての「１」が連続して配置されている場合には、ユーザが筐体１０１を右手で保持したと判定する。
【００４３】
上述した実施形態では、携帯端末装置１００は、検出手段として、タッチセンサ１０２−１及び１０２−２と、駆動バッファ１１１及び１１２を備え、タッチセンサ１０２−１及び１０２−２が、駆動電極１１３及び１１４と、受信電極１１５及び１１６を備える構成であった。しかし、検出手段の構成は、これに限定されない。
【００４４】
図９は、本発明の他の実施形態に係る携帯端末装置の詳細な構成を示す図である。図９では、タッチセンサ１０２−１は、内部に、生体電気信号検出センサ１２０−１を備え、タッチセンサ１０２−２は、内部に、生体電気信号検出センサ１２０−２を備える。
【００４５】
生体電気信号検出センサ１２０−１は、ユーザの指等がタッチセンサ１０２−１に接触した時に、ユーザの筋肉の動きによって発せられる微弱な電気信号を検出し、制御部１１０へ出力する。同様に、生体電気信号検出センサ１２０−２は、ユーザの指等がタッチセンサ１０２−２に接触した時に、ユーザの筋肉が発する微弱な電気信号を検出し、制御部１１０へ出力する。
【００４６】
制御部１１０は、生体電気信号検出センサ１２０−１から入力される電気信号のレベルに基づいて、ユーザが筐体１０１を右手で保持しているか、左手で保持しているかを判定する。具体的には、制御部１１０は、生体電気信号検出センサ１２０−１からの電気信号のレベルが閾値以上、且つ、生体電気信号検出センサ１２０−２からの電気信号のレベルが閾値未満である場合、ユーザが筐体１０１を右手で保持していると判定する。一方、制御部１１０は、生体電気信号検出センサ１２０−１からの電気信号のレベルが閾値未満、且つ、生体電気信号検出センサ１２０−２からの電気信号のレベルが閾値以上である場合、ユーザが筐体１０１を左手で保持していると判定する。また、制御部１１０は、生体電気信号検出センサ１２０−１からの電気信号のレベルと、生体電気信号検出センサ１２０−２からの電気信号のレベルとが、何れも閾値以上、又は、閾値未満である場合には、不定とする。
【００４７】
また、制御部１１０は、生体電気信号検出センサ１２０−１からの電気信号のレベルのみに基づいて、ユーザが筐体１０１を右手で保持しているか、左手で保持しているかを判定してもよい。この場合、制御部１１０は、生体電気信号検出センサ１２０−１からの電気信号のレベルが予め定められた閾値以上である場合、ユーザが筐体１０１を右手で保持していると判定する。一方、制御部１１０は、生体電気信号検出センサ１２０−１からの電気信号のレベルが予め定められた閾値未満である場合、ユーザが筐体１０１を左手で保持していると判定する。
【００４８】
また、制御部１１０は、生体電気信号検出センサ１２０−２からの電気信号のレベルのみに基づいて、ユーザが筐体１０１を右手で保持しているか、左手で保持しているかを判定してもよい。この場合、制御部１１０は、生体電気信号検出センサ１２０−２からの電気信号のレベルが予め定められた閾値以上である場合、ユーザが筐体１０１を左手で保持していると判定する。一方、制御部１１０は、生体電気信号検出センサ１２０−２からの電気信号のレベルが予め定められた閾値未満である場合、ユーザが筐体１０１を右手で保持していると判定する。
【００４９】
図１０は、本発明の他の実施形態に係る携帯端末装置の詳細な構成を示す図である。図１０では、タッチセンサ１０２−１は、内部に、押下式のスイッチ１２４−１乃至１２４−５（以下、これらスイッチ１２４−１乃至１２４−５をまとめて、適宜「スイッチ１２４」と称する）を備える。スイッチ１２４は、側面１０５−１の長手方向に沿って配置されている。スイッチ１２４は、押下状態を示す信号を制御部１１０へ出力する。また、タッチセンサ１０２−２は、内部に、押下式のスイッチ１２５−１乃至１２５−５（以下、これらスイッチ１２５−１乃至１２５−５をまとめて、適宜「スイッチ１２５」と称する）を備える。スイッチ１２５は、側面１０５−２の長手方向に沿って配置されている。スイッチ１２５は、押下状態を示す信号を制御部１１０へ出力する。
【００５０】
制御部１１０は、スイッチ１２４の押下の状態に基づいて、タッチセンサ１０２−１及び１０２−２に対するユーザの指４００の接触の状態を判定する。
【００５１】
具体的には、制御部１１０は、スイッチ１２４毎に、当該スイッチ１２４が押下されている場合（オンの場合）には「１」を設定し、押下されていない場合（オフの場合）には「０」を設定する。次に、制御部１１０は、スイッチ１２４の配列順に、当該スイッチ１２４に設定した「０」及び「１」を配列した第１接触状態情報を生成する。また、制御部１１０は、スイッチ１２５毎に、当該スイッチ１２５が押下されている場合（オンの場合）には「１」を設定し、押下されていない場合（オフの場合）には「０」を設定する。次に、制御部１１０は、スイッチ１２５の配列順に、当該スイッチ１２５に設定した「０」及び「１」を配列した第２接触状態情報を生成する。
【００５２】
更に、制御部１１０は、第１接触状態情報及び第２接触状態情報における「０」及び「１」の配列を検証し、ユーザが筐体１０１を右手で保持しているか、左手で保持しているかを判定する。具体的には、制御部１１０は、第１接触状態情報が図７（Ａ）に示すように、「１」と「１」との間に「０」が配列されており、第２接触状態情報が、「１」が１つのみの場合、あるいは、図７（Ｄ）に示すように、全ての「１」が連続して配置されている場合には、ユーザが筐体１０１を右手で保持したと判定する。また、制御部１１０は、第１接触状態情報が、「１」が１つのみの場合、あるいは、図７（Ｂ）に示すように、「１」と「１」との間に「０」が配列されており、第２接触状態情報が、図７（Ｃ）に示すように、「１」と「１」との間に「０」が配列されている場合には、ユーザが筐体１０１を左手で保持したと判定する。
【００５３】
また、制御部１１０は、第１接触状態情報のみに基づいて、ユーザが筐体１０１を右手で保持しているか、左手で保持しているかを判定してもよい。この場合、制御部１１０は、第１接触状態情報が図７（Ａ）に示すように、「１」と「１」との間に「０」が配列されている場合には、ユーザが筐体１０１を右手で保持したと判定する。また、制御部１１０は、第１接触状態情報が、「１」が１つのみの場合、あるいは、図７（Ｂ）に示すように、全ての「１」が連続して配置されている場合には、ユーザが筐体１０１を左手で保持したと判定する。
【００５４】
また、制御部１１０は、第２接触状態情報のみに基づいて、ユーザが筐体１０１を右手で保持しているか、左手で保持しているかを判定してもよい。この場合、制御部１１０は、第２接触状態情報が図７（Ｃ）に示すように、「１」と「１」との間に「０」が配列されている場合には、ユーザが筐体１０１を左手で保持したと判定する。また、制御部１１０は、第２接触状態情報が、「１」が１つのみの場合、あるいは、図７（Ｄ）に示すように、全ての「１」が連続して配置されている場合には、ユーザが筐体１０１を右手で保持したと判定する。
【００５５】
その他、本発明は、上記実施形態の説明及び図面によって限定されるものではなく、上記実施形態及び図面に適宜変更等を加えることは可能である。例えば、コンピュータがプログラムを実行することで、携帯端末装置１００の機能を実現してもよい。また、携帯端末装置１００の機能を実現するためのプログラムは、ＣＤ−ＲＯＭ等の記憶媒体に記憶されてもよいし、ネットワークを介してコンピュータにダウンロードされてもよい。
【００５６】
また、上記の実施形態の一部又は全部は、以下の付記のようにも記載されうるが、以下には限られない。
【００５７】
（付記１）
入力指示のための画像を表示する表示手段と、
物体の接触を検出する検出手段と、
前記検出手段による接触の検出結果に基づいて、前記入力指示のための画像の表示を制御する制御手段と、
を備えることを特徴とする携帯端末装置。
【００５８】
（付記２）
前記制御手段は、前記検出手段による接触の検出結果に基づいて、ユーザが右手及び左手の何れにより筐体を保持しているかを判定し、右手により保持されていると判定した場合と、左手により保持されていると判定した場合とにおいて、前記表示手段に表示される前記入力指示のための画像を異ならせることを特徴とする付記１に記載の携帯端末装置。
【００５９】
（付記３）
前記制御手段は、前記右手により保持されていると判定した場合に、右手による操作に適したものとして定められた入力指示のための画像を表示する制御を行い、前記左手により保持されていると判定した場合に、左手による操作に適したものとして定められた入力指示のための画像を表示する制御を行うことを特徴とする付記２に記載の携帯端末装置。
【００６０】
（付記４）
前記検出手段は、第１の検出手段と第２の検出手段とを備え、
前記第１の検出手段は、前記筐体における第１の側面に配置され、
前記第２の検出手段は、前記筐体における前記第１の側面と対向する第２の側面に配置されることを特徴とする付記２又は３に記載の携帯端末装置。
【００６１】
（付記５）
前記制御手段は、前記第１の検出手段により複数箇所の接触が検出されたこと、及び、前記第２の検出手段により１箇所の接触が検出されたことの少なくとも何れかを満たす場合に、前記ユーザが一方の手により前記筐体を保持していると判定し、前記第１の検出手段により１箇所の接触が検出されたこと、及び、前記第２の検出手段により複数箇所の接触が検出されたことの少なくとも何れかを満たす場合に、前記ユーザが他方の手により前記筐体を保持していると判定することを特徴とする付記４に記載の携帯端末装置。
【００６２】
（付記６）
前記検出手段は、静電容量に基づいて、接触を検出することを特徴とする付記１乃至５の何れか１つに記載の携帯端末装置。
【００６３】
（付記７）
前記検出手段は、ユーザの筋肉の動きにより発せされる電気信号に基づいて、接触を検出することを特徴とする付記１乃至５の何れか１つに記載の携帯端末装置。
【００６４】
（付記８）
前記検出手段は、複数の押下式のスイッチを備え、前記スイッチの押下の状態に基づいて、接触を検出することを特徴とする付記１乃至５の何れか１つに記載の携帯端末装置。
【００６５】
（付記９）
携帯端末装置において表示される画像を制御する画像制御方法であって、
前記携帯端末装置が、物体の接触を検出するステップと、
前記携帯端末装置が、接触の検出結果に基づいて、入力指示のための画像の表示を制御するステップと、
を備えることを特徴とする画像制御方法。
【００６６】
（付記１０）
コンピュータを、
入力指示のための画像を表示する表示手段、
物体の接触を検出する検出手段、
前記検出手段による接触の検出結果に基づいて、前記入力指示のための画像の表示を制御する制御手段、
として機能させることを特徴とする画像制御プログラム。
【符号の説明】
【００６７】
１００  携帯端末装置
１０１  筐体
１０２−１、１０２−２  タッチセンサ
１０３  タッチパネル式ディスプレイ
１０５−１、１０５−２  側面
１１１−１乃至１１１−５、１１２−１乃至１１２−５  駆動バッファ
１１３−１乃至１１３−５、１１４−１乃至１１４−５  駆動電極
１１５−１乃至１１５−５、１１６−１乃至１１６−５  受信電極
１１８  メモリ
１２０−１、１２０−２  生体電気信号検出センサ
１２４−１乃至１２４−５、１２５−１乃至１２５−５  スイッチ
【図１】
2013069165.tif 000003
【図２】
2013069165.tif 000004
【図３】
2013069165.tif 000005
【図４】
2013069165.tif 000006
【図５】
2013069165.tif 000007
【図６】
2013069165.tif 000008
【図７】
2013069165.tif 000009
【図８】
2013069165.tif 000010
【図９】
2013069165.tif 000011
【図１０】
2013069165.tif 000012